(57)【要約】【課題】鏡体の上方又は側方に隙間を設けずに鏡体の取り付けを可能にする。【解決手段】鏡体Ｍの上端部左右の隅部を三角形に切除して傾斜端面２２と切欠領域Ｒとを設け、この切欠領域Ｒに保持部材１０を配置し、係止部１２を傾斜端面２２に当接させ鏡体Ｍ前面に係合させた状態で、基板部１１を取付面に固定する。保持部材１０の基板部１１は鏡体Ｍの上端縁辺２０を延長した仮想上縁辺及び側端縁辺２１を延長した仮想側縁辺を越えないように設定されているので、鏡体Ｍの直上に梁やアッパーキャビネットが存在する場合でも、鏡体Ｍの側方に柱や躯体壁面等が隣接する場合でも、これらとの間に実質的に隙間が無いように鏡体Ｍを配置可能である。それ故、美観性に優れた洗面化粧台Ｋを提供できる。【選択図】      図２
2007275172.tif 000002
【特許請求の範囲】
【請求項１】
取付面に固定した保持部材により鏡体の表面を係止する鏡体の取付構造であって、鏡体が略直角四辺形の上部側において縁辺の一部を含む領域を切り欠いた形態に形成され、前記鏡体の切欠領域内に、前記保持部材が、前記鏡体の縁辺を延長した仮想縁辺を越えないように配置されていることを特徴とする鏡体の取付構造。
【請求項２】
前記鏡体が略直角四辺形の上部側における隅部を三角形に切り欠いた形態に形成されている請求項１に記載する鏡体の取付構造。
【請求項３】
前記保持部材の表面を照明装置の設置領域と成した請求項１又は２に記載する鏡体の取付構造。
【請求項４】
前記保持部材の表面に光源の装着具が配設され、当該光源を覆う照明カバーを支持する手段が前記保持部材に設けられている請求項３に記載する鏡体の取付構造。
【請求項５】
梁又はアッパーキャビネット等の突出部の直下に、前記鏡体の上部側の縁辺を隙間無く配設した請求項１乃至４のいずれかに記載する鏡体の取付構造。
【発明の詳細な説明】
【技術分野】
【０００１】
本発明は、洗面化粧台における鏡体、あるいは単独で壁面等に配置される鏡体の取付構造に関し、詳しくは、鏡体の上方又は側方に隙間を設けずに鏡体の取り付けを可能にする手段を提供するものである。
【背景技術】
【０００２】
図１０に示す洗面化粧台Ｋは、洗面器や水栓器具Ｊが設置されるベースキャビネットＬと、その上方に配置した鏡体Ｍと、さらにその上方に設置したアッパーキャビネットＮとから成り、これらを躯体壁や下地材等の取付面へ取り付けることにより構成されている。
【０００３】
従来、鏡体Ｍの上端部は、図１１に示すような保持部材１によって保持される。この保持部材１は、平板状の取付基部２の上端部に、水平に突出しさらにその前端で下方に折れ曲がる断面Ｌ字状の係止部５を設けたものであって、取付基部２にはネジ４を挿通させるための長孔３が形成されている。保持部材１は、長孔３に挿通したネジ４を取付面Ｔへねじ込むことにより取付面Ｔに取着されるが、このとき長孔３に沿って上下に移動可能である。従って、保持部材１を上方へ引き上げた状態としたのち、鏡体Ｍを取付予定位置に配置し、しかるのち保持部材１を下方へ押し下げれば、係止部５が鏡体Ｍの上端部前面に係合するようになり、鏡体Ｍの上部保持がなされる。
【０００４】
ところで本例の如く、鏡体Ｍの上方にアッパーキャビネットＮを設置する場合、上述した保持部材１の上下移動を可能にするため、図１１（Ａ）に示すように、鏡体Ｍの上端面２０とアッパーキャビネットＮの底板６との間には、係止部５の高さ寸法と同程度かそれ以上の隙間ｄを形成する必要がある。このため、鏡体ＭをアッパーキャビネットＮに密接させて取り付けることが困難であり、洗面化粧台Ｋの見栄えを損なう原因となっていた。
【０００５】
そこで図１１（Ｂ）に示す如く、アッパーキャビネットＮの底板６における奥側下面に凹溝状の切欠部７を形成し、この切欠部７内に鏡体Ｍ及び保持部材１の上端部を収納し得るように構成することにより、鏡体ＭとアッパーキャビネットＮとの間に、正面から見たときに、隙間がないように見える取付状態を得ることが特許文献１に記載されている。
【特許文献１】特開２００５−５２２７１号公報
【発明の開示】
【発明が解決しようとする課題】
【０００６】
特許文献１に記載された技術では、アッパーキャビネットＮの底板６に切欠部７を形成するため切削加工等を施す必要があり、キャビネットの製造コストを増大させるという欠点を持つ。また、躯体壁面に突出している梁等の直下に鏡体を取り付ける場合には、梁に前述のような切欠部を形成するのは困難なので、特許文献１の技術を利用することができない。つまり鏡体Ｍを取り付けるには、梁との間に、保持部材１の係止部５を上下させることの可能な隙間を設けざるを得なかった。このように従来は、梁等の直下に隙間無く鏡体Ｍを配置する構成は採用が大変難しかった。
【０００７】
なお、鏡体Ｍの直上に梁が位置する場合、鏡体の側縁部を保持部材で係止する態様も考えられる。しかし、この場合において、鏡体Ｍの側方に柱や躯体壁面が存在する場合は、鏡体Ｍとこれら柱又は壁面との間に隙間を設ける必要があり、やはり美観性を向上させるのが難しい。
【課題を解決するための手段】
【０００８】
本発明が前記問題点を解決するために採用した鏡体の取付構造の特徴とするところは、請求項１に記載するとおり、取付面に固定した保持部材により鏡体の表面を係止する構造において、鏡体を略直角四辺形の上部側において縁辺の一部を含む領域を切り欠いた形態に形成し、前記鏡体の切欠領域内に、前記保持部材を、前記鏡体の縁辺を延長した仮想縁辺を越えないように配置したことである。
【０００９】
前記鏡体の形態については、請求項２に記載するとおり、略直角四辺形の上部側における隅部を三角形に切り欠いた形態とすることが考えられる。
【００１０】
また請求項３に記載する如く、前記保持部材の表面を照明装置の設置領域と成すこともできる。
【００１１】
この場合、請求項４に記載するように、前記保持部材の表面に光源の装着具を配設し、当該光源を覆う照明カバーを支持する手段を前記保持部材に設けるとよい。
【００１２】
なお本発明に係る鏡体の取付構造は、請求項５に記載する如く、梁又はアッパーキャビネット等の突出部の直下に前記鏡体の上部側の縁辺を隙間無く配設する態様に実施するとよい。
【発明の効果】
【００１３】
本発明の請求項１に係る鏡体の取付構造によれば、鏡体を略直角四辺形の上部側において縁辺の一部を含む領域を切り欠いた形態に形成し、この切欠領域内に鏡体の仮想縁辺を越えないように配置した保持部材によって、鏡体の表面を係止するものであるから、鏡体の直上にアッパーキャビネットや梁等が存在する場合でも、鏡体の上端部をこれらに密接させた状態で、当該鏡体を取付面に取り付けることが可能となる。また鏡体の側方に柱や躯体壁面等が存在する場合でも、同様に、鏡体の側端部をこれらを密接させることが可能である。
【００１４】
本発明の請求項２に係る鏡体の取付構造によれば、鏡体を略直角四辺形の上部側における隅部を三角形に切り取った形態とするので、切欠領域が簡素な形態となり、依って鏡体の製作が容易である。
【００１５】
請求項３に記載する如く、保持部材の表面を照明装置の設置領域とすれば、鏡体の上方や側方には梁や柱等が存在するために隙間がなく、照明装置の支持具を取り付けられない場合でも、照明装置の設置が可能である。また、鏡体の保持部材が照明装置の支持具を兼用することになるので、部材点数を減らせる。
【００１６】
請求項４に記載するように、保持部材に光源の装着具と照明カバーの支持手段とを設ければ、照明装置の設置が簡単になる。
【００１７】
請求項５に記載するように、梁又はアッパーキャビネット等の突出部の直下に前記鏡体を隙間無く配設できることにより、美観性に優れた洗面化粧台やミラーキャビネット等を提供することができる。またアッパーキャビネットや梁等には加工を施す必要がないから、低コストで施工することができる。
【発明を実施するための最良の形態】
【００１８】
［第１の実施形態］
図１に、本発明を適用した洗面化粧台Ｋの一例を示す。この洗面化粧台Ｋの基本構成は従来と同様であって、水栓器具Ｊ等が配設されたベースキャビネットＬ、鏡体Ｍ、アッパーキャビネットＮから成っている。但し本例では、アッパーキャビネットＮの直下に鏡体Ｍを実質的に隙間のないように配置してある。これを可能にするため、図２に示す如く、鏡体Ｍにおける上端部左右に傾斜端面２２を形成して、鏡体Ｍの形態を、左右隅部を三角形に切除した如き切欠領域Ｒを有する形態とし、この切欠領域Ｒに配置した保持部材１０を躯体壁面又は下地材等の取付面に固定することによって、鏡体Ｍを取り付ける構造を採用した。
【００１９】
前記保持部材１０は、図３に示すように、直角三角形状の基板部１１と、その斜辺部において前方へ突出しさらに下方へ直角に折り曲げた断面Ｌ字状の係止部１２とから成っている。なお基板部１１には、固定用ネジ１３を挿通させるための開孔が適数個設けられている。
【００２０】
鏡体Ｍを取付面に取り付けるには、下端部を従来の受け部材８（図２参照）で保持した後、上端部を切欠領域Ｒに配置した前記保持部材１０で保持する。すなわち、係止部１２を鏡体Ｍの傾斜端面２２に当接させた状態で、保持部材１０の基板部１１をネジ１３で取付面に固定することにより、係止部１２を鏡体Ｍ前面に係合させる。鏡体Ｍの上端部左右の切欠領域Ｒにおいて、保持部材１０により傾斜端面２２を保持するため、鏡体Ｍは上方への移動が阻止されると同時に、左右方向の移動も規制されるので、安定な取付構造が得られる。
【００２１】
保持部材１０の基板部１１の大きさは、図２（Ａ）に示す如く、前記切欠領域Ｒに配置して係止部１２を鏡体Ｍの傾斜端面２２に当接させたときに、鏡体Ｍの上端縁辺２０を延長した仮想上縁辺α及び側端縁辺２１を延長した仮想側縁辺βを越えないように設定されている。従って、鏡体Ｍの直上に梁やアッパーキャビネットが存在する場合でも、あるいは鏡体Ｍの側方に柱や躯体壁面等が隣接する場合でも、これらとの間に実質的に隙間が無いように鏡体Ｍを配置することが可能である。それ故、美観性に優れた洗面化粧台Ｋを提供することが可能である。
【００２２】
なお本例の如く、基板部１１の二側縁が仮想上縁辺α及び仮想側縁辺βとほぼ一致するように構成すれば、鏡体Ｍと保持部材１０とが一体化した外観を呈するから、施工後の意匠性が良い。
【００２３】
［第２の実施形態］
図４（Ａ）（Ｂ）に示すように、従来と同様の保持部材１０を使用することも可能である。この保持部材１０は、平板状の取付基部１１の一端部に、前方へ突出しさらにその前端で下方へ直角に折れ曲がる断面Ｌ字状の係止部１２が設けられ、取付基部１１にはネジ１３を挿通させるための長孔１４が形成されている。当該保持部材１０で鏡体Ｍを取り付けるには、長孔１４に挿通したネジ４を取付面Ｔへねじ込むことにより基板部１１を取付面Ｔへ仮固定したのち、鏡体Ｍを取付予定位置に配置し、しかるのち保持部材１０を長孔１４に沿って移動させ、係止部１２を鏡体Ｍの傾斜端面２２に当接させると共に鏡体Ｍ前面に係合させる。さらに必要に応じ、抜け止め用のネジ１５を、係止部１２の上面側に当接するように取付面Ｔに螺着してもよい。
【００２４】
本発明の取付構造は、従来と同様の保持部材１０を用いて、前記第１の実施形態と同様の効果を発揮するものである。
【００２５】
［第３の実施形態］
図５〜図７は、鏡体Ｍの保持部材１０に、照明装置３０の支持具を兼用させた例を示すものである。本例によれば、図５に示すように、保持部材１０の固定位置が照明装置３０の設置領域となる。
【００２６】
本例に用いる保持部材１０は、図６及び図７に示す如く、取付面Ｔにネジ１３等で固定される直角三角形状の基板部１１と、基板部１１の上縁部に形成したカバー装着部１１ａと、基板部１１の側縁部に形成した側面保持部１１ｂと、基板部１１の斜辺部に設けた係止部１２と、この係止部１２の前面部に設けたカバー保持部１８とから成っている。基板部１１のカバー装着部１１ａの上端には、二つの係止突起１７が設けられる。またカバー保持部１８は、係止部１２から前側下方へ延設され下端に湾曲部を形成した若干の弾性を有する部材で製作される。そして、基板部１１の表面部に、光源３２（電球・蛍光灯・ＬＥＤ等）の装着具３１（ソケット等）がビス・溶接・接着剤等で配設される。
【００２７】
本例では、図７（Ｂ）に示す如く、鏡体Ｍの裏面側にスペーサ１６を配置すると共に、基板部１１に側面保持部１１ｂを形成した。従って、保持部材１０の係止部１２を鏡体Ｍの傾斜端面２２に当接させた状態で、基板部１１に挿通したネジ１３を取付面Ｔにねじ込むことにより、係止部１２を鏡体Ｍの前面に係合させて鏡体Ｍを取り付けたときに、側面保持部１１ｂが取付面Ｔに当接して、鏡体Ｍの裏面と取付面Ｔとの間にスペーサ１６による空間Ｓが確保される。
【００２８】
本例の保持部材１０は、取付面Ｔに固定して鏡体Ｍを取り付けたのち、基板部１１に設けた装着具３１に光源３２を取着し、これを覆うように照明カバー３３を装着することによって、照明装置３０とすることができる。照明カバー３３の上面部には係合孔３３ａが形成され、これに保持部材１０の係止突起１７を嵌合させる。また同時に、照明カバー３３の底部内面３３ｂに、保持部材１０のカバー保持部１８を弾性的に当接させる。これにより照明カバー３３は、保持部材１０に対し、着脱可能に装着される。また、光源３２に電力を供給する電線３４は、保持部材１１の前面から、鏡体Ｍと取付面Ｔとの空間Ｓへ取り回すことができる。
【００２９】
このように本例によれば、鏡体Ｍの保持部材１０が照明装置３０の支持具を兼用するから、部材点数が少なくなる。また鏡体Ｍの裏面側空間Ｓを配線用スペースとして利用可能なので、鏡体Ｍの上方や側方にスペースの無い場合でも、照明装置への電気配線を確実に行える。さらに、照明カバー３３によって保持部材１０が覆い隠されるので、美観性が向上すると共に、保持部材１０の意匠性を考慮する必要がなくなるという利点が得られる。
【００３０】
［第４の実施形態］
図８に示すように、鏡体Ｍの上端部左右に形成する切欠領域Ｒの形状を、矩形にすることも可能である。この場合、照明装置３０の支持具を兼ねる保持部材１０についても、基板部１１を矩形に形成すればよい。
【００３１】
［その他の実施形態］
図９に示すように、鏡体Ｍの上端部に形成する切欠領域Ｒの位置を、左右側端部から適宜の距離を置いた箇所とすることも可能である。あるいは図１０に示す如く、鏡体Ｍの左右側端部における上端近くに切欠領域Ｒを形成することも可能である。これらの場合、保持部材１０については、従来と同様の構造（図１１参照）のものを用いることができる。さらに本発明は、洗面化粧台を構築する場合だけでなく、鏡体Ｍを単独で躯体壁面や下地パネル等の取付面に施工する場合にも有用である。
【図面の簡単な説明】
【００３２】
【図１】本発明の第１の実施形態に係るものであって、本発明に係る鏡体の取付構造を適用した洗面化粧台の正面図である。
【図２】本発明の第１の実施形態に係るものであって、鏡体の取付構造を示す分解斜視図である。
【図３】本発明の第１の実施形態に係るものであって、図（Ａ）は保持部材で鏡体を取り付けた状態の正面図、図（Ｂ）は保持部材で鏡体を取り付けた状態の斜視図である。
【図４】本発明の第２の実施形態に係るものであって、図（Ａ）は保持部材で鏡体を取り付けた状態の正面図、図（Ｂ）は図（Ａ）のＸ−Ｘ線における断面図である。
【図５】本発明の第３の実施形態に係るものであって、本発明に係る鏡体の取付構造を適用した洗面化粧台の要部を示す正面図である。
【図６】本発明の第３の実施形態に係るものであって、照明装置を分解して示す斜視図である。
【図７】本発明の第３の実施形態に係るものであって、図（Ａ）は照明装置の支持具を兼ねる保持部材で鏡体を取り付けた状態の正面図、図（Ｂ）は同保持部材で鏡体を取り付けた状態の側面図である。
【図８】本発明の第４の実施形態に係るものであって、照明カバーを取り外した状態の取付構造を示す斜視図である。
【図９】本発明のその他の実施形態に係るものであって、図（Ａ）（Ｂ）は共に、本発明に係る鏡体の取付構造を適用した洗面化粧台の要部を示す正面図である。
【図１０】従来例に係るものであって、洗面化粧台の正面図である。
【図１１】従来例に係るものであって、図（Ａ）は保持部材で鏡体を取り付けた状態の要部を示す正面図、図（Ｂ）は保持部材で鏡体を取り付けた状態の側面断面図である。
【符号の説明】
【００３３】
Ｋ…洗面化粧台  Ｌ…ベースキャビネット  Ｍ…鏡体  Ｎ…アッパーキャビネット  Ｒ…切欠領域  Ｓ…空間  Ｔ…取付面  １０…保持部材  １１…基板部  １２…係止部  １３…ネジ  ２０…鏡体の上端面  ２１…鏡体の側端面  ２２…傾斜端面  α…仮想上縁辺  β…仮想側縁辺
【図１】
2007275172.tif 000003
【図２】
2007275172.tif 000004
【図３】
2007275172.tif 000005
【図４】
2007275172.tif 000006
【図５】
2007275172.tif 000007
【図６】
2007275172.tif 000008
【図７】
2007275172.tif 000009
【図８】
2007275172.tif 000010
【図９】
2007275172.tif 000011
【図１０】
2007275172.tif 000012
【図１１】
2007275172.tif 000013